(57)【要約】【課題】  分包シートの送り出しを停止させた後に再稼動しても分包シートの封止位置のずれを防止できる薬剤分包装置を提供すること。【解決手段】  ロール紙Ｒから引き出された分包シートＳを支持する支持部２１と、この支持部２１を用いて分包シートＳを挟持する補助部２６とを備え、また、支持部２１は、一端を軸２４ａとして回動するアーム２４の他端に取付けられ、アーム２４の中央部には、アーム２４に付勢力を付与する弾性体２５が取付けられたことを特徴とする。【選択図】    図１
2005231708.tif 000002
【特許請求の範囲】
【請求項１】
ロール紙から引き出された分包シートを支持する支持部と、
この支持部を用いて前記分包シートを挟持する補助部とを備えたことを特徴とする薬剤分包装置。
【請求項２】
前記支持部は、一端を軸として回動するアームの他端に取付けられ、
前記アームの中央部には、前記アームに付勢力を付与する弾性体が取付けられたことを特徴とする請求項１記載の薬剤分包装置。
【発明の詳細な説明】
【技術分野】
【０００１】
本発明は、薬剤分包装置に関する。
【背景技術】
【０００２】
薬剤分包装置として、ロール状に巻かれた熱融着性分包紙、すなわちロール紙のシートを回動自在に支持した分包シート供給部から分包シートを引き出して移送する移送路にシール装置が設けられ、このシール装置の上流側で分包シートを２つ折りにするとともにその間に薬剤を供給した後シール装置により分包シートを幅方向と両側縁部とを帯状に加熱融着して薬剤を分包するようにしたものが知られている。
この薬剤分包装置の稼動中において、分包シート供給部からの分包シートの引き出しを停止する際、分包シート供給部を停止させるブレーキ機構を取付けた薬剤分包装置が採用されている。
【０００３】
薬剤分包装置として、例えば、中空軸に係合し分包シートに適度な張力を付与するモータブレーキを備えたものがある。なお、この装置は、ロール紙の巻量の変化に予め対応したロール紙の巻量の直径に応じてロール紙のブレーキ力を制御し、分包シートの張力を最適な張力に調整するものである（特許文献１参照）。
【特許文献１】特開２０００−３５５３０６号公報（第４頁、第３図）
【発明の開示】
【発明が解決しようとする課題】
【０００４】
上記従来の薬剤分包装置においては、ブレーキ機構を制御するためのセンサが設置され、そのセンサで検知された信号に基づいてブレーキ機構が分包シート供給部を停止させるため、複雑な構造となる。したがって、構造がより簡略化された薬剤分包装置が望まれている。一方、そのようなブレーキ機構を制御するためのセンサが設置されない薬剤分包装置においては、ブレーキ機構が設置されていないため、ロール紙を停止させるとロール紙の惰性によって分包シートが必要以上にロール紙から引き出されてたるみが生じてしまうことがある。この場合、分包シート供給部を再稼動した後の分包シートの位置にずれが生じ、分包シートを封止する際の所定の封止位置がずれてしまうという問題がある。
【０００５】
本発明は、このような事情を考慮してなされたもので、構造が簡略化され、かつ分包シートの送り出しを停止させた後に再稼動しても分包シートの封止位置のずれを防止できる薬剤分包装置を提供することを目的とする。
【課題を解決するための手段】
【０００６】
本発明は、上記課題を解決するため、以下の手段を採用する。すなわち本発明に係る薬剤分包装置は、ロール紙から引き出された分包シートを支持する支持部と、この支持部を用いて前記分包シートを挟持する補助部とを備えたことを特徴とする。
本発明によれば、ロール紙から引き出され支持部に支持された分包シートを支持部と補助部との間に挟持することで、ロール紙から引き出され緊張した状態を保持したまま分包シートを挟持することとなる。その結果、分包シートは、ロール紙が回動してたるみを生じても、補助部よりロール紙から引き出される側において緊張した状態を保持しており、たるみを生じない。また、分包シートの緊張状態を保持する際にセンサ等を用いないため、薬剤分包装置の構造が複雑化しない。
【０００７】
また、本発明に係る薬剤分包装置において、前記支持部は、一端を軸として回動するアームの他端に取付けられ、前記アームの中央部には、前記アームに付勢力を付与する弾性体が取付けられたことを特徴とする。
支持部と補助部との間に挟持された分包シートがロール紙から引き出される際、その引き出される力を利用して、アームが弾性体の付勢力に抵抗して補助部から離間する方向に回動する。そして、分包シートが支持部と補助部との間の挟持を解除される。したがって、分包シートは、補助部よりロール紙から引き出される側において緊張した状態を保持したまま引き出されることとなる。
一方、分包シートがロール紙から引き出されなくなると、アームが弾性体の付勢力によって補助部に接近する方向に回動する。そして、分包シートが支持部と補助部との間に挟持される。したがって、分包シートは、補助部よりロール紙から引き出される側において緊張した状態を保持したまま挟持されることとなる。
【発明の効果】
【０００８】
本発明に係る薬剤分包装置によれば、分包シートは、ロール紙が回動して分包シートにたるみを生じても、補助部よりロール紙から引き出される側において緊張した状態を保持しており、たるみを生じない。したがって、分包シートの送り出しを停止させた後に薬剤分包装置を再稼動させても分包シートのずれを防止することができる。また、分包シートの緊張状態を保持する際にセンサ等を用いないため、薬剤分包装置の構造を簡略化することができる。
【０００９】
また、本発明に係る薬剤分包装置によれば、分包シートは、補助部よりロール紙から引き出される側において緊張した状態を保持したまま引き出される一方、補助部よりロール紙から引き出される側において緊張した状態を保持したまま挟持されることとなる。したがって、分包シートの送り出しを停止させた後に薬剤分包装置を再稼動させても、分包シートを封止する際の所定の封止位置のずれを防止することができる。
【発明を実施するための最良の形態】
【００１０】
以下、本発明の実施の形態について、図面を参照して説明する。
図１は、本発明を適用した薬剤分包装置を示す図である。
薬剤分包装置は、ロール紙給紙装置１０と、ロール紙送出装置２０と、薬剤供給装置３０とを備えている。
ロール紙給紙装置１０は、中空の芯管Ｐに巻付けられたロール紙Ｒが取付けられる支持軸１１と、ロール紙Ｒとともに回動可能となるように支持軸１１と同心に一体化して取付けられ、かつ周縁部に所定の間隔で孔１３が複数配置された円板１２とを備えている。
【００１１】
ロール紙送出装置２０は、支持部２１，２２，２３を備えている。これら支持部２１，２２，２３はそれぞれ円筒状に形成され、ロール紙給紙装置１０に取付けられるロール紙Ｒから供給された分包シートＳを支持しながら薬剤供給装置３０に送り出す。
支持部２１は、その一端に設けられた軸２４ａを中心として回動するアーム２４の他端に固定されている。このアーム２４は、円板１２の背面に設けられ、回動する際に支持軸１１に接触しないように、支持軸１１を回避するように屈曲した形状をなしている。
また、支持部２２，２３はローラであり、それら自体が回動することによって分包シートＳを薬剤供給装置３０に送り出す。
【００１２】
また、アーム２４には、付勢力を付与する弾性体としてのバネ２５が中央に取付けられている。すなわち、アーム２４は、軸２４ａを中心として、バネ２５の付勢力によって支持部２１とともに支持軸１１から離間する方向に回動し、またはバネ２５の付勢力に抵抗した分包シートＳの引張力によって支持部２１とともに支持軸１１に接近する方向に回動するようになっている。
【００１３】
また、回動するアーム２４に取付けられた支持部２１の軌道上であって、支持部２１に接してアーム２４の回動を抑止できるように補助部２６が設けられている。この補助部２６は、支持部２１の側面に接する平面を有し板状に形成されている。また、この補助部２６には、円板１２が停止した状態においてバネ２５の付勢力によって支持部２１が接して、補助部２６と支持部２１との間に分包シートＳを挟持できるようになっている。
薬剤供給装置３０は、ロール紙送出装置２０によって供給され２つ折りにされている分包シートＳの間に薬剤投入口３２から所定量の薬剤が投入された後、スタンプ３３により所定間隔で幅方向と両側縁部とを帯状にヒートシールするように設けられている。
【００１４】
上記のように構成された薬剤分包装置について、ロール紙Ｒが支持軸１１に取付けられ円板１２が停止した状態において、アーム２４の端部に取付けられた支持部２１と、アーム２４の回動を抑止するように配置された補助部２６とが、バネ２５の付勢力によって接している。このとき、ロール紙Ｒから引き出された分包シートＳが、支持部２１と補助部２６との間に挟持されており、補助部２６よりもロール紙Ｒから引き出される側、すなわち補助部２６の外側において緊張した状態を保持している。
【００１５】
分包シートＳに薬剤を供給して分包シートＳをシールするために薬剤分包装置を稼動させると、円板１２が回動するとともにロール紙Ｒが回動して、ロール紙Ｒから分包シートＳが引き出される。このとき、分包シートＳに対して分包シートＳが引き出される方向に引張力が働く。そして、図２に示すように、バネ２５を取付けられたアーム２４が、分包シートＳが引き出される引張力によってバネ２５の付勢力に抵抗して支持軸１１に接近する方向、すなわち矢印に示す方向に回動し、バネ２５の付勢力によって補助部２６に接していた支持部２１が、補助部２６から離間する。
【００１６】
その後、薬剤分包装置を停止させると、円板１２が回動を停止するとともにロール紙Ｒが回動を停止して、ロール紙Ｒから分包シートＳが引き出されなくなる。このとき、分包シートＳに対して分包シートＳが引き出される方向に働いていた引張力よりもバネ２５の付勢力が強くなるため、バネ２５を取付けられたアーム２４が、バネ２５の付勢力によって支持軸１１から離間する方向に回動し、支持部２１が補助部２６に接することとなる。そして、支持部２１に支持され引張力が維持された分包シートＳが、補助部２６の外側において緊張した状態を保持したまま、支持部２１と補助部２６との間に挟持される。
【００１７】
この場合、ロール紙Ｒから引き出され支持部２１に支持された分包シートＳを支持部２１と補助部２６との間に挟持することで、分包シートＳがロール紙Ｒから引き出され緊張した状態を保持したまま分包シートＳを挟持することとなる。その結果、分包シートＳは、ロール紙Ｒが回動してたるみを生じても、補助部２６の外側において緊張した状態を保持しており、たるみを生じない。したがって、分包シートＳの送り出しを停止させた後に薬剤分包装置を再稼動させても、分包シートＳを封止する際の所定の封止位置のずれを防止することができる。
また、分包シートの緊張状態を保持する際、従来の薬剤分包装置のようにセンサ等を用いてロール紙の回転を制御する必要がないため、そのセンサ等を設けなくてもよい。したがって、薬剤分包装置の構造を簡略化することができる。
【００１８】
また、薬剤分包装置を稼動させて支持部２１と補助部２６との間に挟持された分包シートＳがロール紙Ｒから引き出される際、その引張力を利用して、アーム２４がバネ２５の付勢力に抵抗して補助部２６から離間する方向に回動する。そして、分包シートＳが支持部２１と補助部２６との間の挟持を解除される。したがって、分包シートＳは、補助部２６の外側において緊張した状態を保持したまま引き出されることとなる。
一方、薬剤分包装置を停止させて分包シートＳがロール紙Ｒから引き出されなくなると、アーム２４がバネ２５の付勢力によって補助部２６に接近する方向に回動する。そして、分包シートＳが支持部２１と補助部２６との間に挟持される。したがって、分包シートＳは、補助部２６の外側において緊張した状態を保持したまま挟持されることとなる。これによって、分包シートＳの送り出しを停止させ、また、分包シートＳの送り出しを停止させた後に薬剤分包装置を再稼動させても、分包シートＳを封止する際の所定の封止位置のずれを防止することができる。
【００１９】
なお、上記実施の形態において、分包シートＳがロール紙Ｒから引き出される際、ロール紙Ｒが支持軸１１とともに回動可能であれば、円板１２を設けなくてもよい。
また、上記実施の形態において、補助部２６は、支持部２１の側面に接する平面を有していれば、板状に形成されていなくてもよく、例えば柱状に形成されてもよい。
また、薬剤供給装置３０の配置については、図１及び図２において示した位置に限定されるものではなく、分包シートＳが緊張した状態で支持部２１，２２，２３に支持されていればよい。
【図面の簡単な説明】
【００２０】
【図１】本発明における実施の形態に係る薬剤分包装置の概略構成図である。
【図２】本発明における実施の形態に係る薬剤分包装置の概略構成図である。
【符号の説明】
【００２１】
１０  ロール紙給紙装置
１１  支持軸
１２  円板
１３  孔
２０  ロール紙送出装置
２１  支持部
２４  アーム
２５  バネ（弾性体）
２６  補助部
Ｒ  ロール紙
Ｓ  分包シート
【図１】
2005231708.tif 000003
【図２】
2005231708.tif 000004